(57)【要約】【課題】換気による外気冷房の効果を十分に得ることができるようにする。【解決手段】空調機１と換気装置（全熱交換器）２とを直列に接続する。この直列に接続された状態において、空調機１は、換気装置２からの外気ＯＡと制御対象空間４からのリターン空気ＲＡの一部との混合空気を取入空気とし、換気装置２は、制御対象空間４からのリターン空気ＲＡの残りを排気ＥＡとして排出する。室内温度Ｔｒｐｖが冷房設定温度Ｔｒｓｐおよび外気温度Ｔｏｕｔよりも高く、室内温度Ｔｒｐｖと冷房設定温度Ｔｒｓｐとの差ΔＴｒが所定値Ｔｔｈ以下の場合、コントローラ３Ａは、換気装置２を非熱交換換気モードで動作させ、空調機１を送風モードで運転する。【選択図】  図１
2014059124.tif 000002
【特許請求の範囲】
【請求項１】
制御対象空間へ調和された空気を供給する空調機と、前記制御対象空間からのリターン空気と外気との換気を行う換気装置とを備え、前記空調機は前記換気装置に直列に接続されて前記換気装置からの外気と前記制御対象空間からのリターン空気の一部との混合空気を取入空気とし、前記換気装置は熱交換を伴う熱交換換気モードと熱交換を伴わず単に換気のみ行う非熱交換換気モードとを備えた空調制御システムであって、
前記制御対象空間の温度を室内温度として検出する室内温度検出手段と、
前記換気装置に取り込まれる前の外気の温度を外気温度として検出する外気温度検出手段と、
冷房を行う場合の室内温度の設定値を冷房設定温度として設定する室内温度設定手段と、
前記室内温度が前記冷房設定温度および前記外気温度よりも高い場合、前記換気装置を非熱交換換気モードで動作させる一方、前記室内温度と前記冷房設定温度との差に応じて前記空調機を送風モードとするか冷房モードとするかを定め、その定められたモードで前記空調機を運転する制御手段と
を備えることを特徴とする空調制御システム。
【請求項２】
請求項１に記載された空調制御システムにおいて、
前記制御手段は、
前記室内温度と前記冷房設定温度との差が所定値以下の場合、前記空調機を送風モードで運転する
ことを特徴とする空調制御ステム。
【請求項３】
請求項２に記載された空調制御システムにおいて、
前記制御手段は、
前記室内温度と前記冷房設定温度との差が前記所定値よりも大きい場合、前記空調機を冷房モードで運転する
ことを特徴とする空調制御システム。
【請求項４】
請求項１に記載された空調制御システムにおいて、
前記制御手段は、
前記室内温度と前記冷房設定温度との差に応じて、前記換気装置の外気導入量および前記空調機の送風量を段階的に切り替える
ことを特徴とする空調制御システム。
【請求項５】
請求項１〜４の何れか１項に記載された空調制御システムにおいて、
前記制御手段は、
前記室内温度が前記外気温度よりも高く、かつ前記冷房設定温度よりも所定の値以上低い場合、前記換気装置を熱交換換気モードで動作させ、前記空調機を暖房モードで運転する
ことを特徴とする空調制御システム。
【請求項６】
請求項１〜４の何れか１項に記載された空調制御システムにおいて、
前記制御手段は、
前記室内温度が前記外気温度よりも高く、かつ前記冷房設定温度よりも第１の所定の値以上低い場合、前記換気装置を熱交換換気モードで動作させ、前記空調機を送風モードで運転し、
前記室内温度が前記外気温度よりも高く、かつ前記冷房設定温度よりも前記第１の所定の値よりも大きい第２の所定の値以上低い場合、前記換気装置を熱交換換気モードで動作させ、前記空調機を暖房モードで運転する
ことを特徴とする空調制御システム。
【請求項７】
制御対象空間へ調和された空気を供給する空調機と、前記制御対象空間からのリターン空気と外気との換気を行う換気装置とを備え、前記空調機は前記換気装置に直列に接続されて前記換気装置からの外気と前記制御対象空間からのリターン空気の一部との混合空気を取入空気とし、前記換気装置は熱交換を伴う熱交換換気モードと熱交換を伴わず単に換気のみ行う非熱交換換気モードとを備えたシステムに適用される空調制御方法であって、
前記制御対象空間の温度を室内温度として検出する室内温度検出ステップと、
前記換気装置に取り込まれる前の外気の温度を外気温度として検出する外気温度検出ステップと、
冷房を行う場合の室内温度の設定値を冷房設定温度として設定する室内温度設定ステップと、
前記室内温度が前記冷房設定温度および前記外気温度よりも高い場合、前記換気装置を非熱交換換気モードで動作させる一方、前記室内温度と前記冷房設定温度との差に応じて前記空調機を送風モードとするか冷房モードとするかを定め、その定められたモードで前記空調機を運転する制御ステップと
を備えることを特徴とする空調制御方法。
【請求項８】
請求項７に記載された空調制御方法において、
前記制御ステップは、
前記室内温度と前記冷房設定温度との差が所定値以下の場合、前記空調機を送風モードで運転する
ことを特徴とする空調制御ステム。
【請求項９】
請求項８に記載された空調制御方法において、
前記制御ステップは、
前記室内温度と前記冷房設定温度との差が前記所定値よりも大きい場合、前記空調機を冷房モードで運転する
ことを特徴とする空調制御方法。
【請求項１０】
請求項７に記載された空調制御方法において、
前記制御ステップは、
前記室内温度と前記冷房設定温度との差に応じて、前記換気装置の外気導入量および前記空調機の送風量を段階的に切り替える
ことを特徴とする空調制御方法。
【請求項１１】
請求項７〜１０の何れか１項に記載された空調制御方法において、
前記制御ステップは、
前記室内温度が前記外気温度よりも高く、かつ前記冷房設定温度よりも所定の値以上低い場合、前記換気装置を熱交換換気モードで動作させ、前記空調機を暖房モードで運転する
ことを特徴とする空調制御方法。
【請求項１２】
請求項７〜１０の何れか１項に記載された空調制御方法において、
前記制御ステップは、
前記室内温度が前記外気温度よりも高く、かつ前記冷房設定温度よりも第１の所定の値以上低い場合、前記換気装置を熱交換換気モードで動作させ、前記空調機を送風モードで運転し、
前記室内温度が前記外気温度よりも高く、かつ前記冷房設定温度よりも前記第１の所定の値よりも大きい第２の所定の値以上低い場合、前記換気装置を熱交換換気モードで動作させ、前記空調機を暖房モードで運転する
ことを特徴とする空調制御方法。
【発明の詳細な説明】
【技術分野】
【０００１】
この発明は、制御対象空間へ調和された空気を供給する空調機と、制御対象空間からのリターン空気と外気との換気を行う換気装置とを用いた空調制御システムおよび空調制御方法に関するものである。
【背景技術】
【０００２】
中小規模ビルでは、大規模ビルに比べて、低イニシャルコストの空調システムが求められる。このため、従来より、中小規模ビルでは、空調機からの調和された空気をダクトに送り、このダクトを通して送られてくる調和された空気を吹出口から制御対象空間に吹き出すという空調システムが採用されている。このような空調制御をビルマルチ空調と呼んでいる。
【０００３】
このビルマルチ空調では、室外機と室内機とによって構成される空調機の他に、制御対象空間からのリターン空気と外気との換気を行う換気装置が必要となる。近年は、換気装置として、換気によって失われる空調エネルギーの全熱（排熱）の一部を回収することができる全熱交換器が設置されることが多い。
【０００４】
全熱交換器を換気装置として用いる場合、中間期（春・秋）など、室内熱負荷が高く（冷房要求があり）、なおかつ外気温度が室内温度よりも低いような場合には、全熱交換器による熱交換を行わずに外気を室内に取り込むことで、外気冷房による省エネルギー効果を期待することができる。
【０００５】
例えば、特許文献１に示されたシステムでは、換気装置を熱交換を伴う熱交換換気モードと熱交換を伴わず換気のみを行う非熱交換換気モードとを備えた全熱交換器とし、空調機が冷房運転で稼働中に、室内温度が冷房設定温度および外気温度よりも高く、かつ室内温度と冷房設定温度との差が所定値以下のときは、自動的に、換気装置（全熱交換器）を熱交換換気モードから非熱交換換気モードに切り替え、これに連動して空調機を停止させるようにしている。
【０００６】
図１１に特許文献１に示された空調制御システムの概略を示す。同図において、１は空調機、２は換気装置（全熱交換器）、３はコントローラ、４は制御対象空間、５は制御対象空間４の温度を室内温度Ｔｒｐｖとして検出する室内温度センサ、６は換気装置２に取り込まれる前の外気の温度を外気温度Ｔｏｕｔとして検出する外気温度センサ、７は冷房を行う場合の室内温度の設定値を冷房設定温度Ｔｒｓｐとして設定する室内温度設定器である。
【０００７】
このシステムにおいて、空調機１と換気装置２とは独立して設置されており、空調機１は制御対象空間４からのリターン空気ＲＡを取入空気とし、調和された空気を給気ＳＡとして制御対象空間４に供給する。換気装置２は、制御対象空間４からのリターン空気ＲＡを排気ＥＡとして排出する一方、外気ＯＡを取り込んで制御対象空間４に供給する。
【０００８】
コントローラ３は、室内温度Ｔｒｐｖが冷房設定温度Ｔｒｓｐよりも高く、外気温度Ｔｏｕｔが室内温度Ｔｒｐｖよりも高い場合、換気装置２を熱交換換気モードで動作させ、空調機１を冷房モードで運転する。これに対し、室内温度Ｔｒｐｖが冷房設定温度Ｔｒｓｐおよび外気温度Ｔｏｕｔよりも高く、かつ室内温度Ｔｒｐｖと冷房設定温度Ｔｒｓｐとの差ΔＴｒが所定値Ｔｔｈ以下となった場合、コントローラ３は、換気装置２を熱交換換気モードから非熱交換換気モードに切り替え、空調機１を停止させる。また、室内温度Ｔｒｐｖが冷房設定温度Ｔｒｓｐおよび外気温度Ｔｏｕｔよりも高く、かつ室内温度Ｔｒｐｖと冷房設定温度Ｔｒｓｐとの差ΔＴｒが所定値Ｔｔｈよりも大きい場合には、空調機１を冷房モードで運転する。
【０００９】
すなわち、コントローラ３は、室内温度Ｔｒｐｖが冷房設定温度Ｔｒｓｐおよび外気温度Ｔｏｕｔよりも高い場合、換気装置２を非熱交換換気モードで動作させる一方、室内温度Ｔｒｐｖと冷房設定温度Ｔｒｓｐとの差ΔＴｒに応じ、この差ΔＴｒが所定値Ｔｔｈ以下の場合には空調機１を停止させ、この差ΔＴｒが所定値Ｔｔｈよりも大きい場合には空調機１を冷房モードで運転する。
【００１０】
これにより、室内温度Ｔｒｐｖが冷房設定温度Ｔｒｓｐおよび外気温度Ｔｏｕｔよりも高く、室内温度Ｔｒｐｖと冷房設定温度Ｔｒｓｐとの差ΔＴｒが所定値Ｔｔｈ以下の場合には、空調機１を停止させた状態で、換気装置２による熱交換を伴わない換気（バイパス換気）のみが行われるものとなり、換気装置２からの外気の導入のみで制御対象空間４の冷房（外気冷房）が行われるものとなる。
【先行技術文献】
【特許文献】
【００１１】
【特許文献１】特開２０１０−１１７０８４号公報
【発明の概要】
【発明が解決しようとする課題】
【００１２】
しかしながら、このような空調制御システムでは、空調機１が担当する空調制御ゾーンが換気装置２の設置場所から離れているような場合、換気による外気冷房の効果を十分に得ることができない、という問題があった。
【００１３】
本発明は、このような課題を解決するためになされたもので、その目的とするところは、空調機が担当する空調制御ゾーンが換気装置の設置場所から離れているような場合であっても、換気による外気冷房の効果を十分に得ることが可能な空調制御システムおよび空調制御方法を提供することにある。
【課題を解決するための手段】
【００１４】
このような目的を達成するために本発明は、制御対象空間へ調和された空気を供給する空調機と、制御対象空間からのリターン空気と外気との換気を行う換気装置とを備え、空調機は換気装置に直列に接続されて換気装置からの外気と制御対象空間からのリターン空気の一部との混合空気を取入空気とし、換気装置は熱交換を伴う熱交換換気モードと熱交換を伴わず単に換気のみ行う非熱交換換気モードとを備えた空調制御システムであって、制御対象空間の温度を室内温度として検出する室内温度検出手段と、換気装置に取り込まれる前の外気の温度を外気温度として検出する外気温度検出手段と、冷房を行う場合の室内温度の設定値を冷房設定温度として設定する室内温度設定手段と、室内温度が冷房設定温度および外気温度よりも高い場合、換気装置を非熱交換換気モードで動作させる一方、室内温度と冷房設定温度との差に応じて空調機を送風モードとするか冷房モードとするかを定め、その定められたモードで空調機を運転する制御手段とを備えることを特徴とする。
【００１５】
本発明において、空調機と換気装置とは、直列に接続された構成とされる。すなわち、本発明において、空調機は、換気装置からの外気（ＯＡ）と制御対象空間からのリターン空気（ＲＡ）の一部との混合空気を取入空気とし、換気装置は制御対象空間からのリターン空気（ＲＡ）の残りを排気（ＥＡ）として排出する。また、本発明において、制御手段は、室内温度が冷房設定温度および外気温度よりも高い場合、換気装置を非熱交換換気モードで動作させ、室内温度と冷房設定温度との差に応じて空調機を送風モードとするか冷房モードとするかを定め、その定められたモードで空調機を運転する。例えば、室内温度と冷房設定温度との差が所定値（Ｔｔｈ）以下の場合、空調機を送風モードで運転し、室内温度と冷房設定温度との差が所定値（Ｔｔｈ）よりも大きい場合、空調機を冷房モードで運転するようにする。
【００１６】
本発明において、室内温度が冷房設定温度および外気温度よりも高く、かつ室内温度と冷房設定温度との差が所定値（Ｔｔｈ）以下の場合、換気装置を非熱交換換気モードとし、空調機を送風モードとすると、換気装置からの外気（ＯＡ）と制御対象空間からのリターン空気（ＲＡ）の一部との混合空気が空調機からの給気（ＳＡ）として制御対象空間に供給されるものとなる。これにより、空調機が担当する空調制御ゾーンが換気装置の設置場所から離れていても、外気冷房の効果を及ぼすことが可能となる。
【００１７】
本発明において、制御手段は、室内温度が冷房設定温度および外気温度よりも高い場合、換気装置を非熱交換換気モードで動作させる一方、室内温度と冷房設定温度との差に応じて空調機を送風モードとするか冷房モードとするかを定めるが、これと合わせて、室内温度と冷房設定温度との差に応じて、換気装置の外気導入量や空調機の送風量を段階的に切り替えるようにしてもよい。例えば、室内温度と冷房設定温度との偏差が大きくなるほど換気装置の外気導入量を多くしたり、空調機の送風量を多くしたりする。これにより、室内温度と冷房設定温度との偏差が大きいほど、冷房効果の高い運転を行い、偏差が小さくなるにつれ、省エネルギー効果の高い運転に段階的に切り替えて行くようにして、より一層の省エネルギー効果の高い運転を行うことが可能となる。
【００１８】
また、本発明において、室内温度が外気温度よりも高く、かつ冷房設定温度よりも所定の値以上低い場合、換気装置を熱交換換気モードで動作させ、空調機を暖房モードで運転するようにしてもよい。本発明では、外気温度が冷房設定温度よりも著しく低い場合、制御対象空間が冷えすぎの状態となってしまうことがある。このような場合、空調機を暖房モードで運転させることにより、制御対象空間が冷えすぎの状態となるという問題を解消することが可能となる。また、換気装置を熱交換換気モードで動作させることにより、換気によって失われる排熱の一部を回収することが可能となる。
【００１９】
また、第１の所定の値（Ｔｔｈ１）と第１の所定の値（Ｔｔｈ１）よりも大きい第２の所定の値（Ｔｔｈ２）とを定め、室内温度が外気温度よりも高く、かつ冷房設定温度よりも第１の所定の値（Ｔｔｈ１）以上低い場合、換気装置を熱交換換気モードで動作させ、空調機を送風モードで運転し、室内温度が外気温度よりも高く、かつ冷房設定温度よりも第２の所定の値（Ｔｔｈ２）以上低い場合、換気装置を熱交換換気モードで動作させ、空調機を暖房モードで運転するというように、暖房モードへ段階的に切り替えて行くようにしてもよい。
【発明の効果】
【００２０】
本発明によれば、室内温度が冷房設定温度および外気温度よりも高い場合、換気装置を非熱交換換気モードで動作させる一方、室内温度と冷房設定温度との差に応じて空調機を送風モードとするか冷房モードとするかを定め、その定められたモードで空調機を運転するようにしたので、例えば、室内温度と冷房設定温度との差が所定値以下の場合、空調機を送風モードで運転するようにして、換気装置からの外気と制御対象空間からのリターン空気の一部との混合空気を空調機からの給気として制御対象空間に供給し、空調機が担当する空調制御ゾーンが換気装置の設置場所から離れているような場合であっても、換気による外気冷房の効果を十分に得ることが可能となる。
【図面の簡単な説明】
【００２１】
【図１】本発明に係る空調制御システムの一実施の形態を示す図である。
【図２】この空調制御システムにおけるコントローラが有する空調機・換気装置連動制御機能に従う処理動作の第１例（実施の形態１）を示すフローチャートである。
【図３】実施の形態１における室内温度、外気温度および冷房設定温度の温度条件と室内温度の位置する領域を示す図である。
【図４】この空調制御システムにおけるコントローラが有する空調機・換気装置連動制御機能に従う処理動作の第２例（実施の形態２）を示すフローチャートである。
【図５】実施の形態２の処理動作に従う空調機および換気装置の運転制御状態の変化を示す図である。
【図６】実施の形態２における室内温度、外気温度および冷房設定温度の温度条件と室内温度の位置する領域を示す図である。
【図７】この空調制御システムにおけるコントローラが有する空調機・換気装置連動制御機能に従う処理動作の第３例（実施の形態３）を示すフローチャートである。
【図８】図７に続くフローチャートである。
【図９】実施の形態３の処理動作に従う空調機および換気装置の運転制御状態の変化を示す図である。
【図１０】実施の形態３における室内温度、外気温度および冷房設定温度の温度条件と室内温度の位置する領域を示す図である。
【図１１】特許文献１に示されたシステムの概略を示す図である。
【発明を実施するための形態】
【００２２】
以下、本発明の実施の形態を図面に基づいて詳細に説明する。図１はこの発明に係る空調制御システムの一実施の形態を示す図である。同図において、図１１と同一符号は図１１を参照して説明した構成要素と同一或いは同等構成要素を示し、その説明は省略する。
【００２３】
この空調制御システムにおいて、空調機１と換気装置（全熱交換器）２とは、直列に接続された構成とされている。すなわち、空調機１は、換気装置２からの外気ＯＡと制御対象空間４からのリターン空気ＲＡの一部との混合空気を取入空気とし、換気装置２は、制御対象空間４からのリターン空気ＲＡの残りを排気ＥＡとして排出するように、ダクトＤ１〜Ｄ３で接続されている。
【００２４】
また、この空調制御システムにおいて、コントローラ３は、プロセッサや記憶装置からなるハードウェアと、これらのハードウェアと協働して各種機能を実現させるプログラムとによって実現され、本実施の形態特有の機能として空調機１と換気装置２の動作を制御する空調機・換気装置連動制御機能を有している。以下、図１１に示した従来のコントローラ３と区別するために、本実施の形態におけるコントローラ３を符号３Ａで示す。
【００２５】
〔実施の形態１〕
図２にコントローラ３Ａが有する空調機・換気装置連動制御機能に従う処理動作の第１例（実施の形態１）のフローチャートを示す。
【００２６】
コントローラ３Ａは、定期的に、室内温度センサ５からの室内温度Ｔｒｐｖと、外気温度センサ６からの外気温度Ｔｏｕｔと、室内温度設定器７からの冷房設定温度Ｔｒｓｐとを取り込む（ステップＳ１０１）。そして、室内温度Ｔｒｐｖと冷房設定温度Ｔｒｓｐとを比較し（ステップＳ１０２）、室内温度Ｔｒｐｖが冷房設定温度Ｔｒｓｐよりも高かった場合（ステップＳ１０２のＹＥＳ）、室内温度Ｔｒｐｖと外気温度Ｔｏｕｔとを比較する（ステップＳ１０３）。
【００２７】
ここで、室内温度Ｔｒｐｖが外気温度Ｔｏｕｔよりも高かった場合（ステップＳ１０３のＹＥＳ）、すなわち室内温度Ｔｒｐｖが冷房設定温度Ｔｒｓｐおよび外気温度Ｔｏｕｔよりも高かった場合、コントローラ３Ａは、室内温度Ｔｒｐｖと冷房設定温度冷房設定温度Ｔｒｓｐとの差ΔＴｒ（ΔＴｒ＝Ｔｒｐｖ−Ｔｒｓｐ）を求める（ステップＳ１０４）。
【００２８】
そして、コントローラ３Ａは、室内温度Ｔｒｐｖと冷房設定温度冷房設定温度Ｔｒｓｐとの差ΔＴｒと所定値Ｔｔｈとを比較し（ステップＳ１０５）、ΔＴｒが所定値Ｔｔｈ以下（ΔＴｒ≦Ｔｔｈ）の場合には（ステップＳ１０５のＹＥＳ、図３（ａ）に示す斜線の領域参照）、換気装置２を非熱交換換気モードとし（ステップＳ１０６）、空調機１を送風モードとする（ステップＳ１０７）。
【００２９】
これにより、例えば、今、空調機１が冷房運転中で、換気装置２が熱交換換気モードで動作中であるものとすれば、空調機１が冷房運転から送風モードでの運転（送風運転）に切り換わり、換気装置２が熱交換換気モードでの換気から非熱交換換気モードでの換気（バイパス換気）に切り替えられる。
【００３０】
この場合、空調機１と換気装置２とが直列に接続されているので、換気装置２からの外気ＯＡと制御対象空間４からのリターン空気ＲＡの一部との混合空気が空調機１からの給気ＳＡとして制御対象空間４に供給されるものとなる。これにより、空調機１が担当する空調制御ゾーンが換気装置２の設置場所から離れていても、外気冷房の効果を及ぼすことが可能となり、換気による外気冷房の効果を十分に得ることができるようになる。
【００３１】
これに対して、ステップＳ１０５での比較結果がΔＴｒ＞Ｔｔｈであった場合（ステップＳ１０５のＮＯ、図３（ｂ）に示す斜線の領域参照）、コントローラ３Ａは、換気装置２を非熱交換換気モードとし（ステップＳ１０８）、空調機１を冷房モードとする（ステップＳ１０９）。
【００３２】
これにより、例えば、今、空調機１が送風転中で、換気装置２が非熱交換換気モードで動作中であるものとすれば、空調機１が送風運転から冷房モードでの運転（冷房運転）に切り換わり、換気装置２は非熱交換換気モードでの動作を継続する。この場合、空調機１は、換気装置２から導入した外気ＯＡとリターン空気ＲＡの一部との混合空気を冷却するものとなり、室内温度Ｔｒｐｖよりも低い外気ＯＡを利用して冷房運転を行うことから、省エネルギーが図られる。
【００３３】
〔実施の形態２〕
図４にコントローラ３Ａが有する空調機・換気装置連動制御機能に従う処理動作の第２例（実施の形態２）のフローチャートを示す。図５にこの処理動作に従う空調機１および換気装置２の運転制御状態の変化を示す。
【００３４】
なお、この実施の形態２において、空調機１は、３段階（Ｈ（大）／Ｍ（中）／Ｌ（小））の送風量の切替機能を有し、換気装置２は２段階（Ｈ（大）／Ｌ（小））の外気導入量の切替機能を有しているものとする。この送風量切替機能および外気導入量の切替機能自体は、いずれも公知の技術であり、ここでの詳しい説明は省略する。
【００３５】
コントローラ３Ａは、定期的に、室内温度センサ５からの室内温度Ｔｒｐｖと、外気温度センサ６からの外気温度Ｔｏｕｔと、室内温度設定器７からの冷房設定温度Ｔｒｓｐとを取り込む（ステップＳ２０１）。そして、室内温度Ｔｒｐｖと冷房設定温度Ｔｒｓｐとを比較し（ステップＳ２０２）、室内温度Ｔｒｐｖが冷房設定温度Ｔｒｓｐよりも高かった場合（ステップＳ２０２のＹＥＳ）、室内温度Ｔｒｐｖと外気温度Ｔｏｕｔとを比較する（ステップＳ２０３）。
【００３６】
ここで、室内温度Ｔｒｐｖが外気温度Ｔｏｕｔよりも高かった場合（ステップＳ２０３のＹＥＳ）、すなわち室内温度Ｔｒｐｖが冷房設定温度Ｔｒｓｐおよび外気温度Ｔｏｕｔよりも高かった場合、コントローラ３Ａは、室内温度Ｔｒｐｖと冷房設定温度冷房設定温度Ｔｒｓｐとの差ΔＴｒ（ΔＴｒ＝Ｔｒｐｖ−Ｔｒｓｐ）を求める（ステップＳ２０４）。
【００３７】
そして、室内温度Ｔｒｐｖと冷房設定温度冷房設定温度Ｔｒｓｐとの差ΔＴｒと第１の閾値ＴｔｈＨとを比較し（ステップＳ２０５）、ΔＴｒが第１の閾値ＴｔｈＨよりも大きかった場合（ΔＴｒ＞ＴｔｈＨ）（ステップＳ２０５のＹＥＳ、図６に斜線で示す領域Ｉ参照）、コントローラ３Ａは、「偏差大」であるとして、換気装置２を非熱交換換気モードとし（ステップＳ２０６）、換気装置２の外気導入量を「Ｈ」とし（ステップＳ２０７）、空調機１を冷房モードとする（ステップＳ２０８）。
【００３８】
コントローラ３Ａは、ΔＴｒが第１の閾値ＴｔｈＨ以下（ΔＴｒ≦ＴｔｈＨ）であった場合（ステップＳ２０５のＮＯ）、ΔＴｒと第２の閾値ＴｔｈＭ（＜ＴｔｈＨ）とを比較する（ステップＳ２０９）。ここで、ΔＴｒが第２の閾値ＴｔｈＭよりも大きかった場合（ΔＴｒ＞ＴｔｈＭ）（ステップＳ２０９のＹＥＳ、図６に斜線で示す領域II参照）、コントローラ３Ａは、「偏差中」であるとして、換気装置２を非熱交換換気モードとし（ステップＳ２１０）、換気装置２の外気導入量を「Ｈ」とし（ステップＳ２１１）、空調機１を送風モードとし（ステップＳ２１２）、空調機１の送風量を「Ｈ」とする（ステップＳ２１３）。
【００３９】
コントローラ３Ａは、ΔＴｒが第２の閾値ＴｔｈＭ以下（ΔＴｒ≦ＴｔｈＭ）であった場合（ステップＳ２０９のＮＯ）、ΔＴｒと第３の閾値ＴｔｈＬ（＜ＴｔｈＭ）とを比較する（ステップＳ２１４）。ここで、ΔＴｒが第３の閾値ＴｔｈＬよりも大きかった場合（ΔＴｒ＞ＴｔｈＬ）（ステップＳ２１４のＹＥＳ、図６に斜線で示す領域III参照）、コントローラ３Ａは、「偏差やや小」であるとして、換気装置２を非熱交換換気モードとし（ステップＳ２１５）、換気装置２の外気導入量を「Ｌ」とし（ステップＳ２１６）、空調機１を送風モードとし（ステップＳ２１７）、空調機１の送風量を「Ｍ」とする（ステップＳ２１８）。
【００４０】
コントローラ３Ａは、ΔＴｒが第３の閾値ＴｔｈＬ以下（ΔＴｒ≦ＴｔｈＬ）であった場合（ステップＳ２１４のＮＯ）、ΔＴｒが０以上であるか否かをチェックする（ステップＳ２１９）。ここで、ΔＴｒが０以上であった場合（ΔＴｒ≧０）（ステップＳ２１９のＹＥＳ、図６に斜線で示す領域IV参照）、コントローラ３Ａは、「偏差小」であるとして、換気装置２を非熱交換換気モードとし（ステップＳ２２０）、換気装置２の外気導入量を「Ｌ」とし（ステップＳ２２１）、空調機１を送風モードとし（ステップＳ２２２）、空調機１の送風量を「Ｌ」とする（ステップＳ２２３）。
【００４１】
この実施の形態２では、室内温度Ｔｒｐｖが冷房設定温度Ｔｒｓｐおよび外気温度Ｔｏｕｔよりも高かった場合、室内温度Ｔｒｐｖと冷房設定温度Ｔｒｓｐとの差ΔＴｒに応じて、換気装置２による外気導入量と空調機１による送風量が段階的に切り替えられる。すなわち、室内温度Ｔｒｐｖと冷房設定温度Ｔｒｓｐとの偏差が大きくなるほど換気装置２の外気導入量が多くなり、空調機１の送風量が多くなる。これにより、室内温度Ｔｒｐｖと冷房設定温度Ｔｒｓｐとの偏差が大きいほど、冷房効果の高い運転が行われ、偏差が小さくなるにつれ、省エネルギー効果の高い運転に段階的に切り替えられて行き、より一層の省エネルギー効果の高い運転が行われるものとなる。
【００４２】
〔実施の形態３〕
図７および図８にコントローラ３Ａが有する空調機・換気装置連動制御機能に従う処理動作の第３例（実施の形態２）のフローチャートを分割して示す。図９にこの処理動作に従う空調機１および換気装置２の運転制御状態の変化を示す。
【００４３】
この実施の形態３においても、実施の形態２と同様、空調機１は、３段階（Ｈ（大）／Ｍ（中）／Ｌ（小））の送風量の切替機能を有し、換気装置２は２段階（Ｈ（大）／Ｌ（小））の外気導入量の切替機能を有しているものとする。また、図７に示したステップＳ３０１〜Ｓ３２３の処理動作は、図４に示したステップＳ２０１〜Ｓ２２３の処理動作と同じであるので、ここでの説明は省略する。
【００４４】
コントローラ３Ａは、ΔＴｒが０＞ΔＴｒであった場合（図７：ステップＳ３１９のＮＯ）、すなわち室内温度Ｔｒｐｖが冷房設定温度Ｔｒｓｐよりも低かった場合、ΔＴｒと負方向に定められた第１の所定値Ｔｈ１とを比較する（図８：ステップＳ３２４）。ここで、ΔＴｒが第１の所定値Ｔｔｈ１よりも大きかった場合（Ｔｔｈ１＜ΔＴｒ）（ステップＳ３２４のＹＥＳ、図１０に斜線で示す領域Ｖ参照）、コントローラ３Ａは、「偏差小」であるとして、換気装置２を非熱交換換気モードとし（ステップＳ３２５）、換気装置２の外気導入量を「Ｌ」とし（ステップＳ３２６）、空調機１を送風モードとし（ステップＳ３２７）、空調機１の送風量を「Ｌ」とする（ステップＳ３２８）。
【００４５】
コントローラ３Ａは、ΔＴｒが第１の所定値Ｔｔｈ１以下（ΔＴｒ≦Ｔｔｈ１）であった場合（ステップＳ３２４のＮＯ）、ΔＴｒと第２の所定値Ｔｔｈ２（＜Ｔｔｈ１）とを比較する（ステップＳ３２９）。ここで、ΔＴｒが第２の所定値Ｔｔｈ２よりも大きかった場合（Ｔｔｈ２＜ΔＴｒ）（ステップＳ３２９のＹＥＳ、図１０に斜線で示す領域VI参照）、コントローラ３Ａは、「偏差中」であるとして、換気装置２を熱交換換気モードとし（ステップＳ３３０）、換気装置２の外気導入量を「Ｈ」とし（ステップＳ３３１）、空調機１を送風モードとし（ステップＳ３３２）、空調機１の送風量を「Ｌ」とする（ステップＳ３３３）。
【００４６】
コントローラ３Ａは、ΔＴｒが第２の所定値Ｔｔｈ２以下（ΔＴｒ≦Ｔｔｈ２）であった場合（ステップＳ３２９のＮＯ、図１０に斜線で示す領域VII参照）、「偏差大」であるとして、換気装置２を熱交換換気モードとし（ステップＳ３３４）、換気装置２の外気導入量を「Ｈ」とし（ステップＳ３３５）、空調機１を暖房モードとする（ステップＳ３３６）。
【００４７】
前述した実施の形態２では、外気温度Ｔｏｕｔが冷房設定温度Ｔｒｓｐよりも著しく低い場合、外気冷房効果によって室内温度Ｔｒｐｖが徐々に下がり、ついには冷房設定温度Ｔｒｓｐ以下となり、制御対象空間４が冷えすぎの状態となってしまう恐れがある。
【００４８】
これに対し、この実施の形態３では、室内温度Ｔｒｐｖと冷房設定温度Ｔｒｓｐとの負方向の偏差が一定範囲の間（「偏差中」の間）は、換気装置２を熱交換換気モードに切り替えることで排熱の回収を図り、それでもなお室内温度Ｔｒｐｖの低下が止まらず、室内温度Ｔｒｐｖと冷房設定温度Ｔｒｓｐとの負方向の偏差がさらに大きくなった場合（「偏差大」となった場合）には、空調機１を暖房モードでの運転（暖房運転）に切り替える。これにより、制御対象空間４が冷えすぎの状態となるという問題を解消することが可能となる。
【００４９】
〔実施の形態の拡張〕
以上、実施の形態を参照して本発明を説明したが、本発明は上記の実施の形態に限定されるものではない。本発明の構成や詳細には、本発明の技術思想の範囲内で当業者が理解し得る様々な変更をすることができる。また、各実施の形態については、矛盾しない範囲で任意に組み合わせて実施することができる。
【符号の説明】
【００５０】
１…空調機、２…換気装置（全熱交換器）、３（３Ａ）…コントローラ、４…制御対象空間、５…室内温度センサ、６…外気温度センサ、７…室内温度設定器、Ｄ１〜Ｄ３…ダクト。
【図１】
2014059124.tif 000003
【図２】
2014059124.tif 000004
【図３】
2014059124.tif 000005
【図４】
2014059124.tif 000006
【図５】
2014059124.tif 000007
【図６】
2014059124.tif 000008
【図７】
2014059124.tif 000009
【図８】
2014059124.tif 000010
【図９】
2014059124.tif 000011
【図１０】
2014059124.tif 000012
【図１１】
2014059124.tif 000013